(57)【特許請求の範囲】
【請求項１】
帽体と、ハンモックブラケットによって帽体内に取り付けられたハンモックと、耳紐ブラケットによってハンモックブラケットに取り付けられた耳紐と、耳紐に取り付けられた顎紐と、ハンモックに取り付けられたヘッドバンドとを有するヘルメットに於いて、（１）耳紐ブラケットに通孔が設けられ、またハンモックブラケットに耳紐ブラケットを係止する係止用柱状部が設けられ、（２）該係止用柱状部には円柱部と円柱部の左側に突き出した左側突部及び右側に突き出した右側突部と該円柱部の下側に突き出した突出部とが形成され、且つ該左側突部及び右側突部の下部には耳紐ブラケットが通過できる空間部が形成されており、（３）耳紐ブラケットの通孔が上部開口部と下部開口部とからなり、上部開口部が係止用柱状部の回転を可能にし、同時に該左側突部及び右側突部を通過せず、且つ下部開口部がハンモックブラケットの係止用柱状部を通過できることを特徴とするヘルメット。
【請求項２】
左側突部及び右側突部から離れた位置でハンモックブラケットにガイド用突条がほぼハの字状に形成されている請求項１記載のヘルメット。
【請求項３】
ハンモックブラケットが合成樹脂によって形成されている請求項１又は請求項２記載のヘルメット。
【請求項４】
耳紐ブラケットの通孔が達磨形状である請求項１〜３記載のヘルメット。
【請求項５】
係止用柱状部の円柱部の下側に突き出した突出部の先端部分が庇状である請求項１〜４記載のヘルメット。
【請求項６】
耳紐ブラケットをその通孔の上部開口部でハンモックブラケットの係止用柱状部に係止して該ブラケットを回転した場合、係止用柱状部の円柱部の下側に突き出した突出部が耳紐ブラケットの通孔を形成する壁に当接する請求項１〜５のいずれかに記載のヘルメット。
【請求項７】
請求項１〜６のヘルメットが作業用であるヘルメット。
【発明の詳細な説明】
【発明が属する技術分野】
本発明は、ヘルメットに関し、特に工事現場、工場内製造現場等で作業者が着用する作業用ヘルメットに関する。
【従来の技術】
工事現場、工場内製造現場等で、帽体と、ハンモックブラケットによって帽体内に取り付けられたハンモックと、耳紐ブラケットによってハンモックブラケットに取り付けられた耳紐と、耳紐に取り付けられた顎紐とを有する作業用ヘルメットが着用されているが、従来の作業用ヘルメットは、耳紐が帽体内に取り付けられたハンモックブラケットから外れ易い欠点があった。
【発明が解決しようとする課題】
本発明は、耳紐が帽体内に取り付けられたハンモックブラケットから外れ難いヘルメットを提供する。
【課題を解決するための手段】
本発明は、帽体と、ハンモックブラケットによって帽体内に取り付けられたハンモックと、耳紐ブラケットによってハンモックブラケットに取り付けられた耳紐と、耳紐に取り付けられた顎紐と、ハンモックに取り付けられたヘッドバンドとを有するヘルメットに於いて、（１）耳紐ブラケットに通孔が設けられ、またハンモックブラケットに耳紐ブラケットを係止する係止用柱状部が設けられ、（２）該係止用柱状部には円柱部と円柱部の左側に突き出した左側突部及び右側に突き出した右側突部と該円柱部の下側に突き出した突出部とが形成され、且つ該左側突部及び右側突部の下部には耳紐ブラケットが通過できる空間部が形成されており、（３）耳紐ブラケットの通孔が上部開口部と下部開口部とからなり、上部開口部が係止用柱状部の回転を可能にし、同時に該左側突部及び右側突部を通過せず、且つ下部開口部がハンモックブラケットの係止用柱状部を通過できるヘルメットに関する。
本発明は、左側突部及び右側突部から離れた位置でハンモックブラケットにガイド用突条がほぼハの字状に形成されている前記ヘルメットに関する。
本発明は、ハンモックブラケットが合成樹脂によって形成されている前記ヘルメットに関する。
本発明は、耳紐ブラケットの通孔が達磨形状である前記ヘルメットに関する。
本発明は、係止用柱状部の円柱部の下側に突き出した突出部の先端部分が庇状である前記ヘルメットに関する。
本発明は、耳紐ブラケットをその通孔の上部開口部でハンモックブラケットの係止用柱状部に係止して回転した場合、係止用柱状部の円柱部の下側に突き出した突出部が耳紐ブラケットの通孔を形成する壁に当接する前記ヘルメットに関する。
本発明は、前記ヘルメットが作業用であるヘルメットに関する。
【発明の実施の形態】
以下、図面に従い、本発明に係わる作業用ヘルメットの好適な実施の形態について説明する。
図１は本発明に係わる作業用ヘルメットの１つの実施の形態を示す底面図であり、図２は図１に示した作業用ヘルメットに於いてヘッドバンドを取り除いた状態の断面図であり、図３は図１に示した作業用ヘルメットに於けるハンモックブラケットの平面図であり、図４は図３に示したハンモックブラケットの側面図であり、図５は図３に示したハンモックブラケットに於ける係止用柱状部付近の部分断面図であり、図６は図１に示した作業用ヘルメットに於ける耳紐ブラケットの平面図であり、図７は図６に示した耳紐ブラケットの側面図であり、図８は図１に示した作業用ヘルメットに於いてハンモックブラケットに耳紐ブラケットを取り付けた状態を示す平面図であり、図９は図１に示した作業用ヘルメットに於いてハンモックブラケットに耳紐ブラケットを取り付けた状態を示す側面図であり、図１０は図１に示した作業用ヘルメットに於いてハンモックブラケットに耳紐ブラケットを取り付けている際の耳紐ブラケットの達磨状通孔とハンモックブラケットの係止用柱状部との位置関係を示す説明図である。
本発明に係わるヘルメットは、帽体１０と、ハンモックブラケット２１によって帽体１０内に取り付けられたハンモック２０と、耳紐ブラケット３１によってハンモックブラケット２１に取り付けられた耳紐３０と、耳紐３０に取り付けられた顎紐４０と、ハンモック２０に取り付けられたヘッドバンド５０とを有している。
帽体１０は、ハンモックブラケット２１を係止させる為に下端内面に、複数個、例えば４個のハンモック取付ブラケット１１を有し、例えばポリエチレン、ポリプロピレン、ポリカーボネート、ＡＢＳ樹脂、硝子繊維強化不飽和ポリエステル樹脂等の合成樹脂によって形成することができる。
ハンモック２０は、例えば中央部で交差する２本のハンモックテープ２２と、該ハンモックテープ２２の端部に取り付けられたハンモックブラケット２１とから成る。ハンモックテープ２２は、例えば杉綾織テープによって形成することができる。ハンモックブラケット２１には、耳紐ブラケット３１に設けられた通孔３３を係止させる為の係止用柱状部２３が形成されている。係止用柱状部２３は、円柱部２４とその左側に突き出した左側突部２４ａ及び右側に突き出した右側突部２４ｂと、円柱部２４の下側に突き出した下側突部２５とによって構成されている。左側突部２４ａ、右側突部２４ｂ及び下側突部２５は円柱部２４に一体に形成されるのが好ましい。左側突部２４ａ及び右側突部２４ｂの下部には、耳紐ブラケット３１が通過できるように空間部が形成されている。
即ち、ハンモックブラケット２１に耳紐ブラケット３１の通孔３３の上部開口部３３ａを係止して該耳紐ブラケットを左右に可動した場合、左側突部２４ａ及び右側突部２４ｂの下部に空間部が形成されていることによって、耳紐ブラケット３１が該空間部で回動できると同時に左側突部２４ａ及び右側突部２４ｂによって外れないようになる。
耳紐ブラケット３１をその通孔の上部開口部３３ａでハンモックブラケット２１の係止用柱状部２３に係止して該ブラケットを回転した場合、係止用柱状部２３の円柱部２４の下側に突き出した下側突部２５は、係止用柱状部の円柱部の下側に突き出した下側突部２５が耳紐ブラケットの通孔３３を形成する壁３３ｃに当接し、耳紐ブラケット３１の回転を止める作用を有する。該下側突部は庇状の先端部２５ａを有しているのが好ましい。耳紐ブラケット３１が比較的弾性がある素材からなるもので、ハンモックブラケット２１の係止用柱状部２３に係止され強引に回転された場合、耳紐ブラケットの通孔３３を形成する壁３３ｃが係止用柱状部の円柱部の下側に突き出した下側突部２５を乗り越えても、該先端部２５ａの下部に耳紐ブラケットの通孔３３を形成する壁３３ｃの一部が入り込むことによってハンモックブラケット２１からの耳紐ブラケット３１の脱落を防止することができるという利点がある。
ハンモックブラケット２１には、耳紐ブラケット３１がより外れ難くするために、左側突部２４ａ及び右側突部２４ｂから離れた位置にガイド用突条２６ａ及びガイド用突条２６ｂがほぼハの字状に形成されているのが好ましい。
ハンモックブラケット２１の下端両側には、係止片２７ａ及び係止片２７ｂが形成され、該係止片２７ａ及び係止片２７ｂを帽体１０のハンモック取付ブラケット１１に係止させることによってハンモック２０を帽体１０に取り付けることができる。ハンモックブラケット２１には、ヘッドバンド５０を取り付ける為の通孔２８が形成されている。ハンモックブラケット２１は、左側突部２４ａ及び右側突部２４ｂと上下に重なり合わない位置に通孔２４ｃ及び通孔２４ｄを形成することにより、アンダーカット部分が存在しない為にポリエチレン、ポリプロピレン等の合成樹脂を使用し、射出成形することによって成形することができる。
耳紐３０は、耳紐テープ３２と、該耳紐テープ３２の両端に取り付けられた耳紐ブラケット３１とを有している。耳紐テープ３２は、例えば杉綾織テープによって形成することができる。耳紐ブラケット３１は、ハンモックブラケット２１に取り付ける為の通孔３３を有し、例えばポリエチレン、ポリプロピレン等の合成樹脂によって形成することができる。通孔３３は、上部開口部３３ａと下部開口部３３ｂとからなり、上部開口部３３ａが係止用柱状部２３の回転を可能にし、同時にハンモックブラケット２１の左側突部２４ａ及び右側突部２４ｂを通過せず、且つ下部開口部３３ｂがハンモックブラケット２１の係止用柱状部２３を通過できるものである。また、通孔３３は、下部開口部３３ｂが係止用柱状部２３全体とほぼ同じ或いはそれよりも大きい形状であり、円形、角形又は係止用柱状部２３と同じ形状等のいずれでもであってもよく、また上部開口部３３ａがハンモックブラケット２１の係止用柱状部２３の円柱部２４よりも大きく、且つハンモックブラケット２１の左側突部２４ａ及び右側突部２４ｂの部分よりも小さい形状であり、円形、角形等であってもよい。該通孔は特に達磨形状が好ましい。尚、通孔３３の下部開口部３３ｂは、ハンモックブラケット２１の係止用柱状部２３を通過することが必要であるが、その場合該係止用柱状部の一部を通孔３３の上部開口部３３ａにより通過せしめることもできる。また、上部開口部３３ａと下部開口部３３ｂは連通しており、ハンモックブラケット２１の係止用柱状部２３を両者間で移動可能とする。
耳紐３０は、耳紐ブラケット３１に設けられた通孔３３をハンモックブラケット２１に設けられた係止用柱状部２３に係止させることによってハンモックブラケット２１に取り付けられている。
耳紐ブラケット３１に設けられた通孔３３をハンモックブラケット２１に設けられた係止用柱状部２３に係止させるには、図１０（ａ）に示すように耳紐ブラケット３１に設けられた通孔３３内にハンモックブラケット２１に設けられた係止用柱状部２３を置き、次いで図１０（ｂ）に示すようにハンモックブラケット２１に対して耳紐ブラケット３１をほぼ９０度回転させた後に、ハンモックブラケット２１に対して耳紐ブラケット３１を下方に引っ張って図１０（ｃ）に示すように耳紐ブラケット３１に設けられた通孔３３をハンモックブラケット２１に設けられた係止用柱状部２３に係止させればよい。
顎紐４０は、顎紐テープ４１と、顎紐の長さを調節する為の長さ調節部（図示せず）とを有している。顎紐テープ４１は、例えば杉綾織テープによって形成することができ、端部に輪状部４２を形成し、該輪状部４２に耳紐テープ３２を通すことによって耳紐テープ３２に取り付けられている。
ヘッドバンド５０は、帯状主体部５１と、該帯状主体部５１から分岐した分岐部５２とを有し、分岐部５２に設けられた係止用突起部５３をハンモックブラケット２１に形成された通孔２８に係止させることによってハンモック２０に取り付けられている。ヘッドバンド５０は、ポリエチレン、ポリプロピレン等の合成樹脂によって形成することができる。
本発明に係わるヘルメットは、耳紐ブラケット３１に設けられた通孔３３をハンモックブラケット２１に設けられた係止用柱状部２３に係止させて耳紐３０をハンモックブラケット２１に取り付けることにより、耳紐ブラケット３１を回転すると、通孔３３の壁３３ｃが係止用柱状部２３の突出部２５に当たることによって耳紐ブラケット３１の回転角度を適正に制御することができる。また、本発明に係わるヘルメットは、係止用柱状部の円柱部の下側に突き出した下側突部２５が庇状の先端部２５ａを有している場合には通孔３３の壁３３ａが庇状の先端部２５ａの下方に入り込み、耳紐ブラケット３１がハンモックブラケット２１から外れ難くなる。
【発明の効果】
本発明に係わるヘルメットは、ハンモックブラケット２１から耳紐ブラケット３１が外れにくく、しかも耳紐ブラケット３１の回転角度を適正に制御することができる。
また、本発明に係わるヘルメットは、係止用柱状部の円柱部の下側に突き出した下側突部２５が庇状の先端部２５ａを有している場合には通孔３３の壁３３ａが庇状の先端部２５ａの下方に入り込み、耳紐ブラケット３１がハンモックブラケット２１から外れ難くなる。
【図面の簡単な説明】
【図１】本発明に係わる作業用ヘルメットの１つの実施の形態を示す底面図である。
【図２】図１に示した作業用ヘルメットに於いてヘッドバンドを取り除いた状態の断面図である。
【図３】図１に示した作業用ヘルメットに於けるハンモックブラケットの平面図である。
【図４】図３に示したハンモックブラケットの側面図である。
【図５】図３に示したハンモックブラケットに於ける係止用柱状部付近の部分断面図である。
【図６】図１に示した作業用ヘルメットに於ける耳紐ブラケットの平面図である。
【図７】図５に示した耳紐ブラケットの側面図である。
【図８】図１に示した作業用ヘルメットに於いてハンモックブラケットに耳紐ブラケットを取り付けた状態を示す平面図である。
【図９】図１に示した作業用ヘルメットに於いてハンモックブラケットに耳紐ブラケットを取り付けた状態を示す側面図である。
【図１０】図１に示した作業用ヘルメットに於いてハンモックブラケットに耳紐ブラケットを取り付けている際の耳紐ブラケットの達磨状通孔とハンモックブラケットの係止用柱状部との位置関係を示す説明図である。
【符号の説明】
１０  帽体
２０  ハンモック
２１  ハンモックブラケット
２３  係止用柱状部
２４  円柱部
２４ａ  左側突部
２４ｂ  右側突部
２４ｃ、２４ｄ  通孔
２５  下側突部
２５ａ  庇状の先端部
２６ａ、２６ｂ  ガイド用突条
３０  耳紐
３１  耳紐ブラケット
３３  通孔
３３ａ  上部開口部
３３ｂ  下部開口部
４０  顎紐
５０  ヘッドバンド
【図１】
0004341116.tif 000002
【図２】
0004341116.tif 000003
【図３】
0004341116.tif 000004
【図４】
0004341116.tif 000005
【図５】
0004341116.tif 000006
【図６】
0004341116.tif 000007
【図７】
0004341116.tif 000008
【図８】
0004341116.tif 000009
【図９】
0004341116.tif 000010
【図１０】
0004341116.tif 000011